(57)【要約】【課題】場所に応じてマナーモードや公共モードが自動的に設定される携帯電話機を提供する。【解決手段】制御部１９により、位置検出部１３で生成された現在位置情報ｐに対応した位置及びその近辺の地図情報がインターネット上の所定の地図情報提供サイトから無線通信部１４を介して取得され、特定音規制領域登録部１５に登録されている特定音規制領域が上記地図情報に記載されているか否かが判定され、記載されているとき、音声発生部１６に対してマナーモードが設定され、かつ、位置検出部１３で現在位置情報ｐが生成されなくなったとき、無線通信部１４に対して公共モードが設定され、また、位置検出部１３で現在位置情報ｐが生成されるようになったとき、上記公共モードが解除されて無線通信部１４の動作が復帰するので、ユーザが煩わしさを感じることなく、マナーモードや公共モードの設定が行われる。【選択図】図１
2008193296.tif 000002
【特許請求の範囲】
【請求項１】
少なくとも着信音を含む特定音を発生させる特定音発生手段と、通信回線との間で通信を行う無線通信部と、自機の現在位置及びその周辺地域を表示する地図を前記通信回線上の地図提供サイトから前記無線通信部を介して取得するナビゲーションシステムと、各部を制御する制御手段とを有する携帯電話機であって、
前記特定音発生手段による前記特定音の発生が規制される場所、施設、又は領域に対応する特定音規制領域が登録されている特定音規制領域登録手段と、
該特定音規制領域登録手段に登録されている前記特定音規制領域が前記地図に記載されているか否かを判定し、記載されているとき、前記制御手段に対して前記特定音の発生を規制する特定音規制モードを設定し、かつ、前記ナビゲーションシステムで前記現在位置を取得不可能になったとき、前記無線通信部の動作を停止させる通信停止モードを前記制御手段に対して設定する動作モード設定手段とが設けられていることを特徴とする携帯電話機。
【請求項２】
前記動作モード設定手段は、
前記ナビゲーションシステムで前記現在位置が取得可能な状態になったとき、前記通信停止モードを解除する構成とされていることを特徴とする請求項１記載の携帯電話機。
【請求項３】
前記特定音規制領域登録手段は、
前記特定音規制領域を表す第１の文字情報を登録する構成とされ、
前記動作モード設定手段は、
取得した前記地図に記載されている第２の文字情報と前記特定音規制領域登録手段に登録されている前記第１の文字情報とを照合することにより前記判定を行う構成とされていることを特徴とする請求項１又は２記載の携帯電話機。
【請求項４】
前記ナビゲーションシステムは、
衛星電波を受けて前記現在位置を取得するＧＰＳ受信機を有することを特徴とする請求項１、２又は３記載の携帯電話機。
【請求項５】
少なくとも着信音を含む特定音を発生させる特定音発生手段と、通信回線との間で通信を行う無線通信部と、自機の現在位置及びその周辺地域を表示する地図を前記通信回線上の地図提供サイトから前記無線通信部を介して取得するナビゲーションシステムと、各部を制御する制御手段とを有する携帯電話機に用いられる動作モード設定方法であって、
前記特定音発生手段による前記特定音の発生が規制される場所、施設、又は領域に対応する特定音規制領域を登録する特定音規制領域登録処理と、
該特定音規制領域登録処理で登録された前記特定音規制領域が前記地図に記載されているか否かを判定する特定音規制領域判定処理と、
該特定音規制領域判定処理で前記特定音規制領域が前記地図に記載されているとき、前記制御手段に対して前記特定音の発生を規制する特定音規制モードを設定する特定音規制モード設定処理と、
前記ナビゲーションシステムで前記現在位置を取得不可能になったとき、前記無線通信部の動作を停止させる通信停止モードを前記制御手段に対して設定する通信停止モード設定処理とを行うことを特徴とする動作モード設定方法。
【請求項６】
前記ナビゲーションシステムで前記現在位置を取得可能になったとき、前記通信停止モードを解除する通信停止モード解除処理を行うことを特徴とする請求項５記載の動作モード設定方法。
【請求項７】
前記特定音規制領域登録処理では、
前記特定音規制領域を表す第１の文字情報を登録し、
前記領域判定処理では、
取得した前記地図に記載されている第２の文字情報と前記特定音規制領域登録処理で登録されている前記第１の文字情報とを照合することにより前記判定を行うことを特徴とする請求項５又は６記載の動作モード設定方法。
【請求項８】
コンピュータを請求項１、２又は３記載の動作モード設定手段として機能させるためのコンピュータ読み取り可能な動作モード設定制御プログラム。
【発明の詳細な説明】
【技術分野】
【０００１】
この発明は、携帯電話機、該携帯電話機に用いられる動作モード設定方法及び動作モード設定制御プログラムに係り、着信音などが発生しないようにするためのマナーモードの設定が要求されている場所、及び、無線電波を送受信しないようにするための公共モードの設定が要求されている場所にユーザが移動する場合に用いて好適な携帯電話機、該携帯電話機に用いられる動作モード設定方法及び動作モード設定制御プログラムに関する。
【背景技術】
【０００２】
コンサートホールや映画館などの内部では、通常、携帯電話機の着信音やアラーム音などが発生しないようにするためのマナーモードの設定が要求されている。そして、マナーモードの設定時では、バイブレーション機能が有効になり、振動により着信が通知される。また、医療用電子機器が設置された病院などのように、携帯電話機で送受信される電波によって障害が発生する危惧のある電子機器が存在する場所では、無線電波を送受信しないようにするための公共モードの設定が要求されている。ユーザは、このような場所に移動した場合、携帯電話機を操作してマナーモードや公共モードの設定を行う。
【０００３】
公共モードの設定では、ユーザがダイヤル操作により“＊２５２５１”を発信することで、携帯電話機の電源がオフ状態となる。この状態で相手側から発呼すると、公共モードに対応した音ガイダンス、たとえば、「ただいま運転中もしくは携帯電話の利用を控えなければならない場所にいるため、電話に出られません。のちほど、おかけ直しください。」が相手側に送信される。また、ユーザが携帯電話機の電源をオン状態とし、ダイヤル操作により“＊２５２５０”を発信することで、公共モードの設定が解除される。なお、現状では、上記従来の技術に関する適切な先行技術文献情報はない。
【発明の開示】
【発明が解決しようとする課題】
【０００４】
しかしながら、上記従来の携帯電話機では、次のような問題点があった。
すなわち、従来の携帯電話機では、マナーモードや公共モードの設定は、ユーザが所定の操作を行う必要があり、ユーザにとって煩わしさがある他、設定を忘れることも多いという問題点がある。
【０００５】
この発明は、上述の事情に鑑みてなされたもので、場所に応じてマナーモードや公共モードが自動的に設定される携帯電話機、該携帯電話機に用いられる動作モード設定方法及び動作モード設定制御プログラムを提供することを目的としている。
【課題を解決するための手段】
【０００６】
上記課題を解決するために、請求項１記載の発明は、少なくとも着信音を含む特定音を発生させる特定音発生手段と、通信回線との間で通信を行う無線通信部と、自機の現在位置及びその周辺地域を表示する地図を前記通信回線上の地図提供サイトから前記無線通信部を介して取得するナビゲーションシステムと、各部を制御する制御手段とを有する携帯電話機に係り、前記特定音発生手段による前記特定音の発生が規制される場所、施設、又は領域に対応する特定音規制領域が登録されている特定音規制領域登録手段と、該特定音規制領域登録手段に登録されている前記特定音規制領域が前記地図に記載されているか否かを判定し、記載されているとき、前記制御手段に対して前記特定音の発生を規制する特定音規制モードを設定し、かつ、前記ナビゲーションシステムで前記現在位置を取得不可能になったとき、前記無線通信部の動作を停止させる通信停止モードを前記制御手段に対して設定する動作モード設定手段とが設けられていることを特徴としている。
【０００７】
請求項２記載の発明は、請求項１記載の携帯電話機に係り、前記動作モード設定手段は、前記ナビゲーションシステムで前記現在位置が取得可能な状態になったとき、前記通信停止モードを解除する構成とされていることを特徴としている。
【０００８】
請求項３記載の発明は、請求項１又は２記載の携帯電話機に係り、前記特定音規制領域登録手段は、前記特定音規制領域を表す第１の文字情報を登録する構成とされ、前記動作モード設定手段は、取得した前記地図に記載されている第２の文字情報と前記特定音規制領域登録手段に登録されている前記第１の文字情報とを照合することにより前記判定を行う構成とされていることを特徴としている。
【０００９】
請求項４記載の発明は、請求項１、２又は３記載の携帯電話機に係り、前記ナビゲーションシステムは、衛星電波を受けて前記現在位置を取得するＧＰＳ受信機を有することを特徴としている。
【００１０】
請求項５記載の発明は、少なくとも着信音を含む特定音を発生させる特定音発生手段と、通信回線との間で通信を行う無線通信部と、自機の現在位置及びその周辺地域を表示する地図を前記通信回線上の地図提供サイトから前記無線通信部を介して取得するナビゲーションシステムと、各部を制御する制御手段とを有する携帯電話機に用いられる動作モード設定方法に係り、前記特定音発生手段による前記特定音の発生が規制される場所、施設、又は領域に対応する特定音規制領域を登録する特定音規制領域登録処理と、該特定音規制領域登録処理で登録された前記特定音規制領域が前記地図に記載されているか否かを判定する領域判定処理と、該領域判定処理で前記特定音規制領域が前記地図に記載されているとき、前記制御手段に対して前記特定音の発生を規制する特定音規制モードを設定する特定音規制モード設定処理と、前記ナビゲーションシステムで前記現在位置を取得不可能になったとき、前記無線通信部の動作を停止させる通信停止モードを前記制御手段に対して設定する通信停止モード設定処理とを行うことを特徴としている。
【００１１】
請求項６記載の発明は、請求項５記載の動作モード設定方法に係り、前記ナビゲーションシステムで前記現在位置を取得可能になったとき、前記通信停止モードを解除する通信停止モード解除処理を行うことを特徴としている。
【００１２】
請求項７記載の発明は、請求項５又は６記載の動作モード設定方法に係り、前記特定音規制領域登録処理では、前記特定音規制領域を表す第１の文字情報を登録し、前記領域判定処理では、取得した前記地図に記載されている第２の文字情報と前記特定音規制領域登録処理で登録されている前記第１の文字情報とを照合することにより前記判定を行うことを特徴としている。
【００１３】
請求項８記載の発明は、動作モード設定制御プログラムに係り、コンピュータを請求項１、２又は３記載の動作モード設定手段として機能させるために、コンピュータ読み取り可能なことを特徴としている。
【発明の効果】
【００１４】
この発明の構成によれば、動作モード設定手段により、ナビゲーションシステムで取得された現在位置及びその周辺地域を表示する地図が通信回線上の地図提供サイトから無線通信部を介して取得され、特定音規制領域登録手段に登録されている特定音規制領域が上記地図に記載されているか否かが判定され、記載されているとき、制御手段に対して特定音規制モードが設定され、かつ、上記ナビゲーションシステムで上記現在位置が取得不可能になったとき、上記制御手段に対して通信停止モードが設定されるので、ユーザが煩わしさを感じることなく、特定音規制モードや通信停止モードの設定を自動的に行うことができる。また、動作モード設定手段により、上記ナビゲーションシステムで上記現在位置が取得可能な状態になったとき、通信停止モードが自動的に解除されて無線通信部の動作が復帰するので、同通信停止モードの解除についても、ユーザが煩わしさを感じることがないという効果がある。
【発明を実施するための最良の形態】
【００１５】
ＧＰＳ装置により得られる現在位置情報に基づいて、あらかじめ登録されている特定の場所で自動的にマナーモードに設定され、かつ、現在位置情報が得られなくなったときに無線通信部の動作が停止する公共モードに設定される携帯電話機、同携帯電話機に用いられる動作モード設定方法及び動作モード設定制御プログラムを提供する。
【実施例】
【００１６】
図１は、この発明の一実施例である携帯電話機の要部の電気的構成を示すブロック図である。
この例の携帯電話機１は、同図に示すように、ＧＰＳアンテナ１１と、通話用アンテナ１２と、位置検出部（ＧＰＳ受信機）１３と、無線通信部１４と、特定音規制領域登録部１５と、音声発生部１６と、バイブレータ１７と、表示部１８と、制御部１９とから構成されている。ＧＰＳアンテナ１１は、宇宙空間に位置する３機以上の図示しない衛星から発射された各信号電波ＷＡ，ＷＢ，ＷＣを受信する。通話用アンテナ１２は、図示しない無線基地局の受け持ちのセル内で同無線基地局と電波Ｗを送受信する。なお、ＧＰＳアンテナ１１及び通話用アンテナ１２は、アンテナの特性に問題がなければ、１つのアンテナを共用しても良い。
【００１７】
位置検出部１３は、ＧＰＳアンテナ１１により受信されたＧＰＳ信号ｎを処理し、携帯電話機１の少なくとも緯度及び経度を含む現在位置を検出して現在位置情報ｐを生成する。無線通信部１４は、無線基地局との間で通話用アンテナ１２を介して通信を行い、送受信される無線信号を処理する。無線基地局は、図示しない在圏移動通信交換局及び関門移動通信交換局を介して一般電話回線網に接続されている。音声発生部１６は、スピーカなどで構成され、着信音を鳴動することにより着信通知を行う他、たとえば、アラーム音やボタン確認音など、特定音を発生する。バイブレータ１７は、たとえばモータによって回転する偏心ホイールなどで構成され、音声発生部１６で音を発生しないマナーモード（特定音規制モード）に設定されているとき、設定された強度の機械的振動を発生することにより着信通知を行う。特定音規制領域登録部１５は、たとえばＲＡＭ（Randam Access Memory）などで構成され、音声発生部１６が特定音を発生しないマナーモードを制御部１９に対して設定すべき領域を表す特定音規制領域をあらかじめ登録するためのものである。特に、この実施例では、特定音規制領域登録部１５は、特定音規制領域を表す第１の文字情報を登録する。表示部１８は、たとえば液晶表示装置などで構成され、操作結果や着信など、各種情報の表示を行う。
【００１８】
制御部１９は、携帯電話機１全体を制御するコンピュータとしてのＣＰＵ（中央処理装置）１９ａ及び同ＣＰＵ１９ａを動作モード設定手段として機能させるためのコンピュータ読み取り可能な動作モード設定制御プログラムが記録されたＲＯＭ（リード・オンリ・メモリ）１９ｂを有している。特に、この実施例では、制御部１９は、位置検出部１３で生成された現在位置情報ｐに対応した位置及びその周辺地域の地図情報をインターネット上の所定の地図情報提供サイトから無線通信部１４を介して取得すると共に、特定音規制領域登録部１５に登録されている特定音規制領域が上記地図情報に記載されているか否かを、たとえばパターン認識技術などを用いて判定し、記載されているとき、音声発生部１６を動作させないマナーモードが設定され、かつ、位置検出部１３で現在位置情報ｐが生成されなくなったとき、無線通信部１４に対して動作が停止する公共モード（通信停止モード）が設定され、また、位置検出部１３で現在位置情報ｐが生成されるようになったとき、上記公共モードを解除して無線通信部１４に対して動作を復帰させる。また、制御部１９は、取得した上記地図情報に記載されている第２の文字情報と特定音規制領域登録部１５に登録されている第１の文字情報とを照合することにより上記判定を行う。
【００１９】
図２は、図１中の特定音規制領域登録部１５に登録されている特定音規制領域の一例を示す図である。
この特定音規制領域登録部１５では、同図２に示すように、特定音規制領域を表す第１の文字情報が登録されている。この場合、たとえば、医療機関を表す文字情報として、「…病院」、「…診療所」及び「…医院」、コンサートホールや劇場を表す文字情報として、「…ホール」、「…文化会館」、「…県民会館」、「…市民会館」、「…公会堂」、「…文化講堂」、「…劇場」及び「…座」、映画館を表す文字情報として、「…劇場」及び「…座」、空港を表す文字情報として、「…国際空港」及び「…空港」などが登録されている。また、建物個別の名称及び住所などを文字情報として登録しても良い。これらの文字情報は、必要に応じて追加又は削除することにより、随時更新される。
【００２０】
図３（ａ），（ｂ）は、図１中の位置検出部１３の原理を説明する図である。
同図３（ａ）に示すように、衛星Ａ，Ｂ，Ｃから地球上に向けて信号電波ＷＡ，ＷＢ，ＷＣがそれぞれ発射されている。これらの信号電波ＷＡ，ＷＢ，ＷＣが携帯電話機１内の位置検出部１３で受信され、それぞれの信号電波ＷＡ，ＷＢ，ＷＣの遅れ時間が計測されることにより、衛星Ａ，Ｂ，Ｃから位置検出部１３までの距離が求められる。いま、衛星Ａから位置検出部１３までの距離ｒＡがわかれば、同位置検出部１３の現在位置は半径ｒＡの円周ａ上のどこかにあることになる。
【００２１】
同様に、衛星Ｂから発射された信号電波ＷＢによって半径ｒＢの円周ｂが得られる。位置検出部１３の現在位置は、図３（ｂ）に示すように、円周ａと円周ｂとが重なる点Ｐ又は点Ｑになる。更に、衛星Ｃから位置検出部１３までの距離ｒＣによる円周ｃの交差を加えると、３つの円周上の３つ重なる点Ｐが同位置検出部１３の現在位置となる。このようにして３つの衛星Ａ，Ｂ，Ｃから位置検出部１３までの距離を精密に計測することによって地球上の点Ｐが測位される。また、４つ以上の衛星から発射された信号電波が得られれば、位置検出部１３の高度も含む３次元の測位が行われる。
【００２２】
図４は、図１の携帯電話機１の動作を説明するフローチャート、及び図５が、地図情報の一例を示す図である。
これらの図を参照して、この例の携帯電話機に用いられる動作モード設定方法の処理内容について説明する。
この携帯電話機１では、ユーザが図示しない操作キーを操作することにより、音声発生部１６で特定音が発生しないマナーモードを設定すべき領域に対応する特定音規制領域を表す第１の文字情報が特定音規制領域登録部１５に登録される（ステップＡ１、特定音規制領域登録処理）。また、制御部１９により、無線通信部１４がインターネットに接続される。一方、ＧＰＳアンテナ１１により受信されたＧＰＳ信号ｎが位置検出部１３で処理され、携帯電話機１の少なくとも緯度及び経度を含む現在位置が検出されて現在位置情報ｐが生成される。
【００２３】
次に、制御部１９により、位置検出部１３で生成された現在位置情報ｐに対応した位置及びその周辺の地図情報がインターネット上の地図情報提供サイトから無線通信部１４を介して取得される（ステップＡ２、地図取得処理）。制御部１９により、特定音規制領域登録部１５に登録されている特定音規制領域が上記地図に記載されているか否かが判定され（ステップＡ３、特定音規制領域判定処理）、記載されているとき、音声発生部１６に対してマナーモードが設定される（ステップＡ４、マナーモード設定処理、特定音規制モード設定処理）。この場合、たとえば図５に示すように、取得した地図情報に記載されている「ＡＢＣホール」（第２の文字情報）と特定音規制領域登録部１５に登録されている「…ホール」（第１の文字情報）とが照合されることにより、上記特定音規制領域登録部１５に登録されている特定音規制領域が上記地図情報に記載されているか否かが判定される。
【００２４】
この後、たとえばユーザがＡＢＣホールの内部に移動し、衛星Ａ，Ｂ，Ｃから発射された各信号電波ＷＡ，ＷＢ，ＷＣがＧＰＳアンテナ１１で受信されなくなったとき、位置検出部１３で現在位置情報ｐが生成されなくなり、制御部１９により、無線通信部１４に対して動作が停止する公共モードが設定される（ステップＡ５、公共モード設定処理、通信停止モード設定処理）。この後、ユーザがＡＢＣホールの入口付近又は外部に移動し、各信号電波ＷＡ，ＷＢ，ＷＣがＧＰＳアンテナ１１で受信されるようになったとき、位置検出部１３で現在位置情報ｐが生成され、制御部１９により、無線通信部１４に対して上記公共モードが解除されて同無線通信部１４の動作が復帰する（ステップＡ６、公共モード解除処理、通信停止モード解除処理）。さらに、ユーザが移動し、特定音規制領域登録部１５に登録されている特定音規制領域が上記地図情報に記載されていないとき、音声発生部１６に対するマナーモードが解除される。
【００２５】
以上のように、この実施例では、制御部１９により、位置検出部１３で生成された現在位置情報ｐに対応した位置及びその周辺地域の地図情報がインターネット上の所定の地図情報提供サイトから無線通信部１４を介して取得され、特定音規制領域登録部１５に登録されている特定音規制領域が上記地図情報に記載されているか否かが判定され、記載されているとき、音声発生部１６に対してマナーモードが設定され、かつ、位置検出部１３で現在位置情報ｐが生成されなくなったとき、無線通信部１４に対して公共モードが設定され、また、位置検出部１３で現在位置情報ｐが生成されるようになったとき、上記公共モードが解除されて無線通信部１４の動作が復帰するので、ユーザが煩わしさを感じることなく、マナーモードや公共モードの設定が行われる。
【００２６】
以上、この発明の実施例を図面により詳述してきたが、具体的な構成は同実施例に限られるものではなく、この発明の要旨を逸脱しない範囲の設計の変更などがあっても、この発明に含まれる。
たとえば、図４中のステップＡ１（特定音規制領域登録処理）では、ユーザの操作により、特定音規制領域を表す第１の文字情報が特定音規制領域登録部１５に登録されるようになっているが、現状で想定される特定音規制領域を、当該携帯電話機１の製造時に登録するようにしても良い。また、携帯電話機１に時計などの計時手段を設け、制御部１９による第２の文字情報と第１の文字情報との照合を、計時情報に基づいて所定の時間帯毎に行うようにしても良い。また、上記実施例では、ナビゲーションシステムとしてＧＰＳ装置が用いられているが、たとえば、ヨーロッパで計画されている「Ｇａｌｉｌｅｏ」や、日本で計画されている「準天頂衛星」が実用化されたとき、これらを用いても良い。また、ユーザが、飛行機、自動車又は電車などの移動体の内部にいる場合、これらが電波暗室のように、衛星Ａ，Ｂ，Ｃからの各信号電波ＷＡ，ＷＢ，ＷＣが内部に到達しない構造になっていれば、上記実施例とほぼ同様に、公共モードの設定が行われる。また、インターネット上の地図情報提供サイトから得られる地図情報に、マナーモードを設定すべき領域を表す特定音規制領域として、所定の記号などが表示されるようになれば、これを用いてマナーモードを設定すべき領域を判定するようにしても良い。
【産業上の利用可能性】
【００２７】
この発明は、ＧＰＳ受信機が搭載されている携帯電話機全般に適用できる。
【図面の簡単な説明】
【００２８】
【図１】この発明の一実施例である携帯電話機の要部の電気的構成を示すブロック図である。
【図２】図１中の特定音規制領域登録部１５に登録されている特定音規制領域の一例を示す図である。
【図３】図１中の位置検出部１３の原理を説明する図である。
【図４】図１の携帯電話機１の動作を説明するフローチャートである。
【図５】地図情報の一例を示す図である。
【符号の説明】
【００２９】
１      携帯電話機
１１      ＧＰＳアンテナ（ナビゲーションシステムの一部、ＧＰＳ受信機の一部）
１２      通話用アンテナ（携帯電話機の一部）
１３      位置検出部（ナビゲーションシステムの一部、ＧＰＳ受信機の一部）
１４      無線通信部（携帯電話機の一部）
１５      特定音規制領域登録部（特定音規制領域登録手段）
１６      音声発生部（特定音発生手段）
１７      バイブレータ（携帯電話機の一部）
１８      表示部（携帯電話機の一部）
１９      制御部（制御手段、動作モード設定手段）
１９ａ      ＣＰＵ（中央処理装置）（コンピュータ）
１９ｂ      ＲＯＭ（リード・オンリ・メモリ）
【図１】
2008193296.tif 000003
【図２】
2008193296.tif 000004
【図３】
2008193296.tif 000005
【図４】
2008193296.tif 000006
【図５】
2008193296.tif 000007